(57)【要約】  本発明は、ＵＥがＲＲＣ又はＰＳドメイン連結を行う必要があることを表示するメッセージを、ＲＮＣがＵＥに転送するステップと、ＵＥがＭＢＭＳサービスを要求するか、専用サービスを要求するかを表示するメッセージを、ＵＥがＳＧＳＮに転送するステップと、異なるサービスタイプ又はメッセージに従い、ＳＧＳＮが異なるメッセージをＲＮＣに転送するステップとを含む、ＭＢＭＳサービス要請を他の専用サービス要請と区別する方法に関するものである。本発明は、ＳＧＳＮが、開始されたサービス要請を正しく異なるサービスと区別した後、それに相応する異なるサービス要請に対して異なる動作を採用するようにできる。そのような種類の区別された動作は、ＳＧＳＮが、ＲＮＣがＵＥの個数を正確にカウントして、無線資源の浪費を避けるようにする、異なるシグナルリングをＲＮＣに転送するようにできる。【特許請求の範囲】
【請求項１】
ＵＥがＲＲＣ又はＰＳドメイン連結を行う必要があることを表示するメッセージを、ＲＮＣがＵＥに転送するステップと、
ＵＥがＭＢＭＳサービスを要求するか、専用サービスを要求するかを表示するメッセージを、ＵＥがＳＧＳＮに転送するステップと、
異なるサービスタイプ又はメッセージに従い、ＳＧＳＮが異なるメッセージをＲＮＣに転送するステップと、
を含むことを特徴とするＭＢＭＳサービス要請を他の専用サービス要請と区別する方法。
【請求項２】
ＵＥがＳＧＳＮに転送する“サービス要請”でのサービスタイプを、“ＭＢＭＳサービス”とすること
を特徴とする請求項１に記載のＭＢＭＳサービス要請区別方法。
【請求項３】
ＵＥのＲＲＣが表示プリミティブを上位ＮＡＳ階層に転送すること
を特徴とする請求項１に記載のＭＢＭＳサービス要請区別方法。
【請求項４】
表示プリミティブは、ＭＢＭＳサービスＩＤ、通知理由及びシグナルリング連結表示を通知すること
を特徴とする請求項３に記載のＭＢＭＳサービス要請区別方法。
【請求項５】
ＵＥが加入したＭＢＭＳサービスの識別子をＳＧＳＮがＲＮＣに通知することを示すパラメーター表示を含む“ルーティング領域更新要請”メッセージを、ＵＥがＳＧＳＮに転送すること
を特徴とする請求項１に記載のＭＢＭＳサービス要請区別方法。
【請求項６】
ＵＥが加入したＭＢＭＳサービスの識別子をＳＧＳＮがＲＮＣに通知することを示す新たなメッセージを、ＵＥがＳＧＳＮに転送すること
を特徴とする請求項１に記載のＭＢＭＳサービス要請区別方法。
【請求項７】
新たなメッセージをＵＥとＳＧＳＮとの間のシグナルリング連結を行うのに使用すること
を特徴とする請求項６に記載のＭＢＭＳサービス要請区別方法。
【請求項８】
ネットワークからＭＢＭＳ通知信号をＵＥに転送するステップと、
ＵＥがアイドルモードにあるとき、ＵＥがＭＢＭＳ通知信号を受信するステップと、
“ＭＢＭＳ通知応答”として通知信号に対する応答信号をネットワークに転送するステップと、
ＭＢＭＳに係るセル内にあるＵＥの個数をカウントするステップと、
ポイントツーマルチポイントタイプの無線ベアラーでＭＢＭＳデータをＵＥに転送するステップと、
を含むことを特徴とするネットワークとユーザー装備(ＵＥ)との間にＭＢＭＳ(マルチメディアブロードキャスト／マルチキャストサービス)ベアラーを設定する方法。
【請求項９】
ＵＥが加入したＭＢＭＳサービスの識別子をＳＧＳＮがＲＮＣに通知することを示すパラメーター表示を含む“ルーティング領域更新要請”メッセージを、ＵＥがネットワークに転送すること
を特徴とする請求項８に記載のＭＢＭＳベアラー設定方法。
【請求項１０】
ＵＥが加入したＭＢＭＳサービスの識別子をＳＧＳＮがＲＮＣに通知することを示す新たなメッセージを、ＵＥがネットワークに転送すること
を特徴とする請求項８に記載のＭＢＭＳベアラー設定方法。
【発明の詳細な説明】
【技術分野】
【０００１】
本発明は、第３世代(３Ｇ)移動通信システムに関し、詳しくは、ＳＧＳＮがＭＢＭＳサービス要請を他のサービス要請と区別する方法に関する。
【背景技術】
【０００２】
ＭＢＭＳ(マルチメディアブロードキャスト／マルチキャストサービス)は、第３世代移動通信システムパートナーシッププロジェクトにより、その標準化が進行されている新たなサービスである。ＭＢＭＳは、一方向のポイントツーマルチポイント(ｐ-ｔ-ｍ)(即ち、単一のデータソースから転送されたマルチメディアデータをネットワーク転送によって多重ユーザーに伝達する)サービスである。このようなサービスの特長は、無線資源とネットワーク資源を効率よく使用できるということである。ＭＢＭＳサービスは、例えば、広帯域コード分割多重接続(ＷＣＤＭＡ)システムやグローバル移動通信システム(ＧＳＭ)等のような無線通信ネットワークシステムに主に使用される。ＭＢＭＳサービスデータの転送は、基本的に次の段階、すなわち、データソース転送段階、中間ネットワーク転送段階、受信先セル放送転送段階及びユーザー受信段階を含む。図３は、ＭＢＭＳが実際に一般パケット無線データサービス(以下、“ＧＰＲＳ”という)をコア転送ネットワーク(ＣＮ)として使用するＭＢＭＳサービスを提供できる無線通信システムのネットワーク装置の論理図である。同図に示すように、ブロードキャスト及びマルチキャストサービスセンタ(以下、“ＢＭ-ＳＣ”という)は、ＭＢＭＳデータ転送のためのデータソースである。ゲートウェイＧＰＲＳ支援ノード(以下、“ＧＧＳＮ”という)は、ＧＰＲＳネットワークを(インターネットのような)外部ネットワークに連結するのに使用される。ＧＧＳＮは、ＭＢＭＳサービスでのＢＭ-ＳＣに連結して、ＭＢＭＳデータを特定サービスＧＰＲＳ支援ノード(以下、“ＳＧＳＮ”という)に転送するのに使用される。セル放送センタ(以下、“ＣＢＣ”という)は、セルブロードキャストのデータソースであって、ＭＢＭＳでのＢＭ-ＳＣとＣＢＣとの相互連結によってＭＢＭＳサービスに宣言(ｄｅｃｌａｒａｔｉｏｎ)機能を付与する。ＳＧＳＮは移動性管理、且つ、ＵＥに対する接続制御を行うのに使用され、これと同時にＧＧＳＮから特定無線ネットワーク制御機(以下、“ＲＮＣ”という)によりＭＢＭＳデータを転送する。ＲＮＣは基地局のグループ(以下、“ＮＯＤＥ Ｂ”という)を制御するのに使用され、特定ＮＯＤＥ Ｂにマルチメディアデータを転送する。ＮＯＤＥ Ｂ(基地局)はＲＮＣの制御下に特定のセルでのＭＢＭＳサービスのための無線物理チャンネルを設定する。端末ユーザー装備(以下、“ＵＥ”という)は、ＭＢＭＳデータ受信のための端末装備である。
【０００３】
図４は、サービス告知(ａｎｎｏｕｎｃｅｍｅｎｔ)、ユーザー加入、サービス通知、ラジオベアラー(ｂｅａｒｅｒ)設定から、最終的にユーザーがＭＢＭＳサービスより脱退するまでの全過程を提示している。
段階Ｓ４０１、申請−ユーザーとサービス提供者との間の連結を行うもので、許容されたユーザーは当該ＭＢＭＳサービスを受信できる。
段階Ｓ４０２、サービス告知−提供されるサービスをユーザーに通知するもので、例えば、システムは午後７時に北京でのサッカー競技を再放送する。
段階Ｓ４０３、加入−ユーザーがグループに加入するもので、すなわち、ユーザーが当該マルチキャストサービスを受信して良いことをネットワークに通知するものである。
段階Ｓ４０４、ＭＢＭＳセッション開始−ＭＢＭＳデータ転送のためのネットワーク資源を設定するものである。
段階Ｓ４０５、ＭＢＭＳ通知−直ぐ行うＭＢＭＳデータ転送をユーザーに通知するものである。
段階Ｓ４０６、データ転送−ＭＢＭＳサービスデータをユーザーに伝達する過程を示す。
段階Ｓ４０７、ＭＢＭＳセッション中断−ＭＢＭＳデータ転送が完了した後にネットワーク資源をリリース(ｒｅｌｅａｓｅ)するものである。
段階Ｓ４０８、脱退−段階Ｓ４０３の加入に応じて、ユーザーがグループから脱退するもので、すなわち、ユーザーが特定サービスのデータをこれ以上受信したくないものである。
【０００４】
ＷＣＤＭＡシステムにおいて、システムは、通常のパケットサービスをユーザーに提供する場合に、それぞれのＵＥがＰＭＭ_ＣＯＮＮＥＣＴＥＤの連結状態へ入ることを必要とする。そのような状態はＵＥとＵＴＲＡＮとの間に無線資源制御(ＲＲＣ)連結が存在し、ＵＥとＳＧＳＮとの間にシグナルリング連結が存在することを意味する。ＵＥとＳＧＳＮとの間に相互交換されるシグナルリングは、非接続シグナルリング、すなわち、ＮＡＳシグナルリングに属する。そのようなシグナルリングはＲＮＣに対して透明である。すなわち、ＲＮＣはＵＥとＳＧＳＮとの間に伝達されるメッセージのコンテンツに対して関与していない。
【０００５】
ＵＥは、シグナルリング連結を設定するＰＭＭ_ＣＯＮＮＥＣＴＥＤの状態へ入りたい場合に、サービス要請(ＳＥＲＶIＣＥ  ＲＥＱＵＥＳＴ)メッセージ又はルーティング領域更新要請(ＲＯＵＴＩＮＧ  ＡＲＥＡ  ＵＰＤＡＴＥ  ＲＥＱＵＥＳＴ)メッセージをＳＧＳＮに転送すべきである。ルーティング領域更新要請メッセージはＵＥが自身のルーティング領域を更新したい場合のみに必要である。サービス要請メッセージは、ＰＭＭ_ＩＤＬＥ ＵＥとＳＧＳＮとの間のシグナルリング連結を行い、何のためにそのメッセージを伝達するかを、すなわち、アップリンクシグナルリングメッセージを転送するためか、アップリンクデータを転送するためか、ＣＮからのページングに応答するためかを、ＳＧＳＮに通知するのに使用される。サービス要請メッセージでのサービスタイプが、シグナルリングであれば、ＳＧＳＮはシグナルリング交換過程が完了した後、ＲＮＣとＳＧＳＮとの間のシグナルリング連結をリリースする。サービス要請メッセージでのサービスタイプが、データであれば、ＳＧＳＮは当該サービスのためのデータを伝達する無線ベアラーを設定するように、サービス用無線接続ベアラー(ＲＡＢ)を活性状態で設定する。サービス要請メッセージでのサービスタイプが、ページング応答であれば、ＳＧＳＮは、そのページング応答が、データ転送を目的とするか、シグナルリング交換を目的とするかを知ることになるため、当該シグナルリングをユーザー装備に伝達するか、ＲＡＢを設定するかを正確に決定できる。
【０００６】
ＷＣＤＭＡシステムにおいて、ＭＢＭＳサービスを提供するために、ＭＢＭＳサービスを受信する全てのユーザーがＰＭＭ_ＩＤＬＥ状態にいれば、多くの無線資源が無線インターフェースに使用されたり、消耗されたりすることがある。なぜなら、その時にはユーザーの殆どがＭＢＭＳサービスを共有しているからである。その場合、ユーザー装備の一部がＰＭＭ_ＣＯＮＮＥＣＴＥＤ状態にあるようにし、残りはＰＭＭ_ＩＤＬＥ状態にあるようにする方法がＵＴＲＡＮに採用される。よって、無線ネットワーク制御機は、そのセル内でＰＭＭ_ＣＯＮＮＥＣＴＥＤ状態にいるユーザーをカウントすれば良い。ユーザー装備がＰＭＭ_ＣＯＮＮＥＣＴＥＤ状態にある理由は、そのユーザー装備が他の専用サービスを受信中であるか、単にＭＢＭＳユーザーをカウントするためである。特定セル内でＭＢＭＳサービスを受信するユーザー装備の個数が、ポイントツーポイントとポイントツーマルチポイントとの間の切換えに対する閾値未満であることを、ＲＮＣが知ることになれば、ＲＮＣはそのセル内でＰＭＭ_ＩＤＬＥ状態にある一部の他のユーザー装備が相変らずＭＢＭＳデータを受信するのを防止するように、その個数を再度カウントする。そのような過程に関するより多くの情報のために、図５を参照する。
【０００７】
段階Ｓ５０１は、ＲＮＣがＳＧＳＮよりＭＢＭＳセッションの開始を意味する“セッション開始表示”メッセージを受信することを示すが、そのメッセージは、一般的にサービスと係るサービスＩＤ、ＱｏＳパラメーターなどのようなサービスパラメーターを含む。ＲＮＣはそれぞれのセルでサービスを申請するＵＥの個数をカウントする。そのような過程はセッションの開始時に必須的である。また、セッションの間に、ＵＥの個数が、ポイントツーマルチポイント(ＰＴＭ)からポイントツーポイント(ＰＴＰ)への切換えに対する閾値未満であれば、ＲＮＣはＵＥの個数をカウントする過程を開始する。そのような過程は段階Ｓ５０２から段階Ｓ５１２まで続く。ＲＮＣは、ＵＥの個数が閾値未満であることを知ることになれば、ＰＭＭ_ＩＤＬＥ状態にあるＵＥ、或いはＣＥＬＬ_ＰＣＨ及びＵＲＡ_ＰＣＨの状態にあるＵＥまで“ＭＢＭＳ通知”メッセージを転送する。そのメッセージは通知理由(ＭＢＭＳ受信者発呼)、接続確率及びサービスＩＤなどのようなパラメーターを含む。ＰＭＭ_ＩＤＬＥ状態にあるＵＥは、そのメッセージを受信後にまずＲＮＣとのＲＲＣ連結を行う。段階Ｓ５０４から段階Ｓ５０６まで、ＵＥはＲＮＣとのＲＲＣ連結を行うが、それは本明細書に記載されている過程と一致し、ＲＲＣ連結を行う理由だけが唯一な差異点である。そのような理由は“ＭＢＭＳ受信者発呼”であり得る。
【０００８】
ＵＥのＮＡＳ層は“サービス要請”メッセージをＳＧＳＮに転送する。そのサービス要請メッセージは段階Ｓ５０７のＲＲＣメッセージ“初期直接転送”及び段階Ｓ５０８のＩｕシグナルリング“初期ＵＥメッセージ”でＳＧＳＮに転送される。ＳＧＳＮは、そのメッセージを受信した場合に、段階Ｓ５０９の“ＭＢＭＳリンク連結要請”メッセージをＲＮＣに転送して、ＵＥが申請した全てのＭＢＭＳサービスＩＤをＲＮＣに転送する。ＲＮＣは段階Ｓ５１０の“ＭＢＭＳ ＵＥリンク連結応答”メッセージをＳＧＳＮに回送する。段階Ｓ５１１において、ＲＮＣはそのＵＥ ＩＤをＵＥが留まっているセルのそれぞれのサービスコンテクストに付加する。段階Ｓ５１２において、ＲＮＣはそれぞれのセル内にあるＵＥの個数をカウントする。それで、ＲＮＣがＵＥの個数をカウントする過程が完了する。
【０００９】
ＵＥがＳＧＳＮに転送するサービス要請メッセージにおいて、そのサービス要請でのサービスタイプが、データであれば、ＳＧＳＮは活性化したＰＤＰコンテクストのためのＲＡＢを設定し、それによりデータ転送用Ｉｕ及びＵｕインターフェースで資源割当てが行われる。ＭＢＭＳ ＵＥをカウントする過程の間に、ＵＥがＲＮＣより“ＭＢＭＳ通知”を受信した場合、そのメッセージがＵＥの個数を合算する必要があると示すと、ＵＥはＰＭＭ_ＣＯＮＮＥＣＴＥＤモードへ入ることになる。ＰＭＭ_ＩＤＬＥ状態にあるＵＥは“サービス要請”メッセージをＳＧＳＮに転送してＰＭＭ_ＣＯＮＮＥＣＴＥＤモードへ入る。そのときのサービス要請でのサービスタイプも、データであれば、先行技術によってＳＧＳＮは活性化したＰＤＰコンテクストのためのＲＡＢを設定する必要がある。しかしながら、そのようなサービス要請は実際にＭＢＭＳサービスをその目的とし、ＵＥは専用サービスのデータ転送を要請しなかった。それはＳＧＳＮで誤動作が誘導され得ることを示す。ＳＧＳＮでのそのような誤動作を避けるために、新たなサービスタイプ、すなわち、ＭＢＭＳサービスをサービス要請に付加することを提案する。また、新たなメッセージ、すなわち“ＭＢＭＳサービス通知”を使用して、ＵＥによって要請されたＭＢＭＳサービスがＲＮＣに通知すべきであることをＳＧＳＮに通知できる。すなわち、図１に示すＭＢＭＳ ＵＥリンク連結要請がそれである。
【００１０】
ＷＣＤＭＡシステムでは、ＵＥがサービス要請メッセージを転送することなくＰＭＭ_ＣＯＮＮＥＣＴＥＤ状態に切換えるような他の場合がある。それはＵＥがルーティング領域更新に切換える場合である。そのとき、ＳＧＳＮにＵＥが加入したＭＢＭＳサービスをＲＮＣに通知するようにしたいと、“ルーティング領域更新要請”メッセージに“ＭＢＭＳ表示”の情報ユニットを付加できる。さらに、新たなメッセージ“ＭＢＭＳサービス通知”を採用して、ＵＥが申請したＭＢＭＳサービスをＵＥのＳＲＮＣに転送することをＳＧＳＮに要請できる。
【発明の開示】
【発明が解決しようとする課題】
【００１１】
本発明の目的は、ＭＢＭＳサービス要請を他のサービス要請と区別する方法を提供することにある。
【課題を解決するための手段】
【００１２】
前記目的を達成するために、ＭＢＭＳサービス要請を他の専用サービス要請と区別する方法は、ＵＥがＲＲＣ又はＰＳドメイン連結を行う必要があることを表示するメッセージを、ＲＮＣがＵＥに転送するステップと、サービスがＭＢＭＳサービスか専用サービスかを表示するための、或いは、ＵＥが加入したＭＢＭＳサービスをＲＮＣに通知することをＳＧＳＮに通知するためのメッセージを、ＵＥがＳＧＳＮに転送するステップと、異なるサービスタイプ又はメッセージに従い、ＳＧＳＮが異なるメッセージをＲＮＣに転送するステップとを含む。
【００１３】
前記目的を達成するために、ネットワークとユーザー装備(ＵＥ)との間にＭＢＭＳ(マルチメディアブロードキャスト／マルチキャストサービス)ベアラーを設定する方法は、ネットワークからＭＢＭＳ通知信号をＵＥに転送するステップと、ＵＥがアイドルモードにあるとき、ＵＥがＭＢＭＳ通知信号を受信するステップと、“ＭＢＭＳ通知応答”として通知信号に対する応答信号をネットワークに転送するステップと、ＭＢＭＳに係るセル内にあるＵＥの個数をカウントするステップと、ポイントツーマルチポイントタイプの無線ベアラーでＭＢＭＳデータをＵＥに転送するステップとを含む。
【発明の効果】
【００１４】
本発明は、ＵＥのＭＢＭＳサービス要請を専用サービス要請と区別する方法を提供する。そのような方法により、ＳＧＳＮは、異なるサービスを区別した後、異なる動作を行うことができる。それは、不要なユーザーインターフェースの設定による資源の浪費を避けることができる。
【発明を実施するための最良の形態】
【００１５】
以下、添付図面に基づき、本発明の好適な実施形態を詳細に説明する。ここで、本明細書に必要な部分だけを説明し、他の部分は強調のために省略する。図１はＭＢＭＳ ＵＥとＳＧＳＮとの間のサービス要請過程を示す図である。
【００１６】
本発明では、ユーザー装備のサービス要請が、ＭＢＭＳサービスのために転送されたものか、専用サービスのために転送されたものか、ＭＢＭＳサービスと専用サービスのために転送されたものかを表示するように、ＭＢＭＳサービスのタイプを表示するための“ＭＢＭＳサービス”の情報ユニットをサービス要請メッセージに付加する。本発明では、“ＭＢＭＳサービス通知”の新たなメッセージを付加してＵＥとＳＧＳＮとの間で転送できる。そのメッセージにより、ＳＧＳＮはＵＥがＰＭＭ_ＣＯＮＮＥＣＴＥＤに切換えた理由(ＭＢＭＳサービスの必要のため)が分かる。ＳＧＳＮは“ＭＢＭＳ ＵＥリンク連結”メッセージをＲＮＣに転送すべきであるが、それはＵＥが申請した全てのＭＢＭＳサービスをＲＮＣに通知するためである。また、本発明では、“ＭＢＭＳ表示”の情報ユニットを“ルーティング領域更新”メッセージに付加して、“ＭＢＭＳ ＵＥリンク連結”メッセージをＲＮＣに転送することをＳＧＳＮに通知し、そのＵＥが申請した全てのＭＢＭＳサービスをＲＮＣに通知できる。そのような方法により、ＳＧＳＮはサービスの混同やユーザーインターフェース資源の浪費を避けるように、正確に当該メッセージをＲＮＣに転送できる。
【００１７】
図１の段階Ｓ１０１において、ＳＧＳＮはＭＢＭＳセッションの開始をＲＮＣに通知する。ここで、その通知メッセージは、サービスＩＤ、ＱｏＳパラメーター及びＵＥインターフェース情報を含む。もしそのＲＮＣの制御を受けるセルがＰＭＭ_ＩＤＬＥ状態にあるＵＥを含むと、そのメッセージは通知フィールドを含むこともでき、ＲＮＣはその通知フィールドの当該セルにＭＢＭＳ通知を転送する必要がある。
【００１８】
図１の段階Ｓ１０２において、ＲＮＣはそのセル内でＰＭＭ_ＣＯＮＮＥＣＴＥＤモードに留まっているＵＥの個数をカウントする。ＵＥの個数がＰＴＰからＰＴＭへの切換えに対する閾値より大きければ、ＲＮＣはＳＧＳＮからの表示に従い、“ＭＢＭＳ通知”メッセージを全てのセル又は一部のセルに転送して、ＵＥの個数をカウントすることが不要であり、ＰＭＭ_ＩＤＬＥにあるＵＥがＰＭＭ_ＣＯＮＮＥＣＴＥＤモードへ入る必要が無いことを表示する。一部セル内にあるＵＥの個数がＰＴＰからＰＴＭへの切換えに対する閾値以下であれば、ＲＮＣはＳＧＳＮからの表示に従い、“ＭＢＭＳ通知”メッセージを全てのセル又は一部のセルに転送して、ＵＥの個数をカウントすることが必要であり、ＰＭＭ_ＩＤＬＥにあるＵＥがＰＭＭ_ＣＯＮＮＥＣＴＥＤモードへ入る必要があることを表示する。
【００１９】
図１の段階Ｓ１０３において、ＲＮＣはＳＧＳＮからの表示に従い“ＭＢＭＳ通知”メッセージをその制御下にあるセルに転送する。ＵＥの個数をカウントするか否かを決定することで、ＲＮＣは“ＲＲＣ連結必要表示”を真又は偽で設定する。そのようなＭＢＭＳ通知はサービスＩＤ、通知理由及び接続確率も含む。通知理由は“ＭＢＭＳ受信者発呼”である。サービスの過程の間に、ＲＮＣは周期的にチャンネルタイプをセルに放送する。ＰＭＭ_ＩＤＬＥ状態にあるＵＥがそのセルに移動する場合に、チャンネルタイプがＰＴＰであるか、或いは、セルがそのサービスのためのＲＢを全く提供しなければ、ＵＥのＲＲＣはその情報を上位階層に報告する。
【００２０】
図１の段階Ｓ１０４において、ＵＥのＲＲＣ階層が“ＭＢＭＳ通知”メッセージを受信した後、ＲＲＣ階層は通知理由だけでなくサービスＩＤを上位階層に伝達して、ＭＢＭＳデータの着呼を通知する。そのメッセージがＲＲＣ連結が必要であることを表示すると、すなわち“ＲＲＣ連結必要表示”が真であれば、ＲＲＣは接続確率の当該計算を行った後、シグナルリング連結が真であることを上位階層に通知する。そのような過程はＲＲＣと上位階層との間のプリミティブ(ｐｒｉｍｉｔｉｖｅ)を通して具現できる。そのようなプリミティブは、ＭＢＭＳサービスＩＤ、通知理由及びシグナルリング連結表示を上位階層に通知する。段階Ｓ１０３において、ＵＥがセルでのチャンネルタイプがＰＴＰであることを知ることになれば、或いは、そのセルがサービスのためのＲＢを全く提供しないことを知ることになれば、ＵＥのＲＲＣは上位階層に報告する。その報告のためのプリミティブは、サービスＩＤを含み、シグナルリング連結表示は真で設定される。
【００２１】
図１の段階Ｓ１０５において、上位階層はＲＲＣから転送された情報によりそのＭＢＭＳ発呼を処理する。上位階層はＭＢＭＳサービスＩＤを当該ＭＢＭＳコンテクストに関連付ける。シグナルリング連結表示が、ＲＲＣ連結が必要であると示すと、上位階層はプリミティブを通してＲＲＣ連結を行うことをＲＲＣに通知し、上位プリミティブと下位プリミティブとの間に含まれた“サービス要請”メッセージがＲＲＣに伝達されるようにする。そうでなければ、上位階層はどのような動作を取ることをＲＲＣに表示する必要がない。
【００２２】
図１の段階Ｓ１０６から段階Ｓ１０８において、ＲＲＣは上位階層表示によってＲＲＣ連結を行う。ＲＲＣ連結を行う理由は、ＭＢＭＳ受信者発呼である。ＲＮＣの他の動作は本明細書のそれと同様である。
図１の段階Ｓ１０９及び段階Ｓ１１０において、ＵＥはＲＲＣ連結を行った後に、上位階層より“サービス要請”メッセージをＳＧＳＮに転送する。
その場合、段階Ｓ１０９の“サービス要請”メッセージに指定されるサービスタイプは、“ＭＢＭＳサービス”でなければならない。そのような過程は次の２つの段階により具現できる。段階Ｓ１０９において、ＵＥはそのメッセージをＲＲＣシグナルリング“初期直接転送”によってＲＮＣに転送する。段階Ｓ１１０において、ＲＮＣはそのメッセージをＩｕシグナルリング“初期ＵＥメッセージ”によってＳＧＳＮに転送する。段階Ｓ１０９の過程はユーザー装備がルーティング領域を更新することにより起きる可能性がある。その場合、ユーザー装備がＳＧＳＮに転送するメッセージは“ルーティング領域更新要請”である。そのような過程は次の２つの段階により具現できる。段階Ｓ１０９において、ＵＥはそのメッセージをＲＲＣシグナルリング“初期直接転送”によってＲＮＣに転送する。段階Ｓ１１０において、ＲＮＣはそのメッセージをＩｕシグナルリング“初期ＵＥメッセージ”によってＳＧＳＮに転送する。ユーザー装備がルーティング領域を更新する前に、ＭＣＣＨを経由してそのセルのＭＢＭＳサービスに関する情報を習得したが、そのＭＢＭＳサービスが新しいセルで提供されていないと、“ルーティング領域更新要請”メッセージは“ＭＢＭＳ表示”の情報ユニットを含むことができる。そのメッセージが“ＭＢＭＳ表示”情報を含まないと、ユーザー装備はシグナルリング連結を行った後、“ＭＢＭＳサービス表示”の新たなメッセージをＳＧＳＮに転送する。
【００２３】
図１の段階Ｓ１０９ａにおいて、ＵＥは、自身とＳＧＳＮとの間のシグナルリング連結を行った後(サービスを要請する過程により)、そのＵＥが一部のＭＢＭＳサービスに加入することをＳＧＳＮに通知するために“ＭＢＭＳサービス通知”メッセージをＳＧＳＮに転送し、ＳＧＳＮはその情報をＵＥのＳＲＮＣに通知する必要がある。ＵＥとＳＧＳＮとの間のシグナルリング連結は従来の方法により行われることもある。よって、ここではこれ以上の詳細な事項は説明しない。段階Ｓ１０９ａにおいて、ＵＥは、そのメッセージをＲＲＣシグナルリング“アップリンク直接転送”によってＲＮＣに転送する。段階Ｓ１１０において、ＲＮＣは、そのメッセージをＩｕシグナルリング“直接転送”によってＳＧＳＮに転送する。図１の段階Ｓ１０９ａの過程は、ＵＥとＳＧＳＮとの間のシグナルリング連結を行うのに使用できるが、ここで、そのようなシグナルリング連結が行われることはＭＢＭＳサービスが開始されたことから始まる。換言すれば、段階Ｓ１０９での“サービス要請”メッセージがそのメッセージに完全に代替できる。ＵＥは“ＭＢＭＳサービス表示”メッセージをＲＲＣシグナルリング“初期直接転送”及びＩｕシグナルリング“初期ＵＥメッセージ”によってＳＧＳＮに転送する。
【００２４】
図１の段階Ｓ１１１において、ＳＧＳＮは段階Ｓ１１０でのメッセージを受信した後、要請されたサービスが“ＭＢＭＳサービス”、“ＭＢＭＳサービス表示”または“ルーティング領域更新要請”に含まれた“ＭＢＭＳ表示”であることを知り、ＵＥが加入した保存されたＭＢＭＳサービスに対してＵＥコンテクストをチェックする。ＳＧＳＮはＵＥが加入したＭＢＭＳの識別子をＲＮＣに通知するために、“ＭＢＭＳ ＵＥリンク連結要請”メッセージをＲＮＣに転送する。ＭＢＭＳサービス識別子は、ＩＰマルチキャストアドレスとＡＰＮであることができ、臨時移動グループ識別子(Ｔｅｍｐｏｒａｒｙ  Ｍｏｂｉｌｅ  Ｇｒｏｕｐ  Ｉｄｅｎｔｉｆｉｅｒ)(ＴＭＧＩ)であることもできる。
【００２５】
図１の段階Ｓ１１２において、ＲＮＣは“ＭＢＭＳ ＵＥリンク連結要請”メッセージを受信することを確認し、“ＭＢＭＳ ＵＥリンク連結応答”メッセージとしてＳＧＳＮに応答する。
図１の段階Ｓ１１３において、ＲＮＣはそのＵＥの識別子を当該セルとサービスのコンテクスト内に付加する。
段階Ｓ１０２から段階Ｓ１１４の過程は、常にセッションが開始される時にだけ起きるものではない。セッションの間に、ユーザーの個数がポイントツーポイントチャンネルからポイントツーマルチポイントチャンネルへの切換えに対する閾値未満であることをＲＮＣが知ることになれば、ＲＮＣはユーザーの個数をカウントする過程を行うことができる。その場合、段階Ｓ１０３の“ＭＢＭＳ通知”メッセージは、サービス識別子及びＲＲＣ連結が必要であるという表示(真で設定された)を含み、ＲＮＣは“サービス要請”メッセージでのサービスのタイプを“ＭＢＭＳサービス”で設定したり、新たなメッセージ“ＭＢＭＳサービス表示”を転送すると決定できる。
【００２６】
ＵＥが新しいセルへ移動すれば、ＵＥは、まず現在のセルが属しているルーティング領域に関して知るために、システム情報を読み取るべきである。ここで、そのシステム情報よりＭＢＭＳ制御チャンネルの情報に関して知ることになる。続いて、ＵＥは、チャンネルの構成によってそのチャンネルから転送されるＭＢＭＳ制御シグナルリングを受信する。ＵＥがそのサービスを支援する現在のセルのチャンネルが、ポイントツーポイントチャンネルであり、無線ベアラーがないことを知ることになれば、そのＵＥは段階Ｓ１０５から段階Ｓ１０９の過程も行うべきである。なお、ＵＥは“ＭＢＭＳ表示”を含む“ルーティング領域更新要請”メッセージを転送したり、シグナルリング連結を行った後、“ＭＢＭＳサービス表示”メッセージを転送したり、サービスタイプが“ＭＢＭＳサービス”で設定された“サービス要請”メッセージを転送したりできる。それと同時に、ＵＥが位置したルーティング領域に一部変化が発生し、ＵＥの上位階層がシグナルリング転送、ルーティング領域更新などのような機能を行おうとすれば、ＵＥは“ＭＢＭＳ表示”を含む“ルーティング領域更新要請”メッセージを転送したり、シグナルリング連結を行った後に“ＭＢＭＳサービス表示”メッセージを転送したりできる。次に、ＵＥは段階Ｓ１０５から段階Ｓ１０９の過程も行うべきである。勿論、ＵＥに対して単純にルーティング領域だけ変更されたが、そのサービスを支援する現在のセルのチャンネルが、ポイントツーマルチポイントチャンネルであれば、“ルーティング領域更新要請”メッセージに“ＭＢＭＳ表示”の情報ユニットを含んだり、“ＭＢＭＳサービス表示”を転送したりする必要が全くない。
【００２７】
ＵＥが新しいセルへ移動した後、ルーティング領域が変更されたことを知ることになったが、新しいセルのＭＢＭＳサービスに関する情報を持っていないと、ＵＥは単純に“ルーティング領域更新要請”メッセージのみをＳＧＳＮに転送できる。ルーティング領域を更新する間に、ＵＥはシステム情報よりＭＣＣＨの構成に関して知ることになる。続いて、ＵＥはＭＣＣＨの構成によってＭＢＭＳのチャンネルタイプのような情報に関して知ることになる。ＭＢＭＳサービスのためのチャンネルが、ポイントツーポイントチャンネルであれば、ＵＥは“ＭＢＭＳサービス通知”メッセージをＳＧＳＮに転送し、ＵＥが申請したＭＢＭＳサービスのリストをＲＮＣに転送することをＳＧＳＮに要請する。
【００２８】
図１の段階Ｓ１１５において、ＵＥの上位階層はパケットドメインから専用サービスを受信すると決定する。そして、ＵＥはＰＭＭ_ＩＤＬＥ状態に留まっていることになる。上位階層はＲＲＣ連結を行い、“サービス要請”のＮＡＳメッセージをＳＧＳＮに転送することをＲＲＣに通知する。
図１の段階Ｓ１１６から段階Ｓ１１８において、ＲＲＣは、上位階層から受信された表示によってＲＲＣ連結を行うが、ＲＲＣ連結を行う理由は現存値である。ＲＮＣの他の動作は利用可能な標準によって行われる。
【００２９】
図１の段階Ｓ１１９及び段階Ｓ１２０において、ＵＥはＲＲＣ連結を行った後、上位階層から受信された“サービス要請”メッセージをＳＧＳＮに転送する。そして、“サービス要請”メッセージでのサービスのタイプは“データ”で設定される。そのような過程は次の２つの段階により具現できる。段階Ｓ１１９において、ＵＥはそのメッセージを“初期直接転送”のＲＲＣシグナルリングによってＲＮＣに転送する。段階Ｓ１２０において、ＲＮＣはそのメッセージを“初期ＵＥメッセージ”のＩｕシグナルリングによってＳＧＳＮに転送する。
【００３０】
或いは、図１の段階Ｓ１１９ａ及び段階Ｓ１２０において、ＵＥは“ＭＢＭＳサービス表示”メッセージをＳＧＳＮに転送できる。そのような過程は次の２つの段階により具現できる。段階Ｓ１１９ａにおいて、ＵＥはそのメッセージを“アップリンク直接転送”のＲＲＣシグナルリングによってＲＮＣに転送する。段階Ｓ１２０において、ＲＮＣはそのメッセージを“直接転送”のＩｕシグナルリングによってＳＧＳＮに転送する。図１の段階Ｓ１２１において、ＳＧＳＮがＵＥにより要請されたサービスのタイプがデータであることを知ることになれば、ＳＧＳＮはＵＥのＭＭコンテクストをチェックして、どのようなサービスのＰＤＰが活性化しているかを知ることになる。ＳＧＳＮはそのサービスのための無線接続ベアラーを設定する。ＳＧＳＮは“ＲＡＢ割当て要請”メッセージをＲＮＣに転送し、そのサービスを支援するＱｏＳパラメーターなどのようなパラメーターを決定するが、そのメッセージはＵＥが加入したＭＢＭＳサービスのリストがＳＧＳＮにより探知された場合に恐らくそのリストを含むことができる。
【００３１】
図１の段階Ｓ１２２において、ＲＮＣは“ＲＡＢ割当て応答”としてＳＧＳＮに応答し、Ｉｕユーザーインターフェースを設定して、そのサービスのためのデータ転送チャンネルを提供する。
図１の段階Ｓ１２１ａにおいて、ＳＧＳＮは、段階Ｓ１２０のメッセージを受信した後、要請されたサービスが“ＭＢＭＳサービス”か、或いは、そのメッセージが“ＭＢＭＳサービス通知”メッセージかを知ることになり、ＵＥが加入した保存されたＭＢＭＳサービスに対するＵＥコンテクストをチェックする。ＳＧＳＮは、そのＵＥが加入したＭＢＭＳの識別子をＲＮＣに通知するために、“ＭＢＭＳ ＵＥリンク連結要請”メッセージをＲＮＣに転送する。ＭＢＭＳサービス識別子は、ＩＰマルチキャストアドレスとＡＰＮであることができ、臨時移動グループ識別子(ＴＭＧＩ)であることもできる。
【００３２】
図１の段階Ｓ１２２ａにおいて、ＲＮＣは“ＭＢＭＳ ＵＥリンク連結要請”メッセージを受信したことを確認し、“ＭＢＭＳ ＵＥリンク連結応答”メッセージとしてＳＧＳＮに応答する。
図１の段階Ｓ１２３において、ＲＮＣはそのＵＥの識別子を当該セルとサービスのコンテクスト内に付加する。
図１の段階Ｓ１２４において、ＲＮＣは、チャンネルタイプがポイントツーポイントか、ポイントツーマルチポイントかを決定するために、セルでの全てのサービスのユーザーの個数をカウントする。段階Ｓ１１５から段階Ｓ１２４の過程はセッションの前、そうでなければ、セッションの間に行われる。
【００３３】
図１に示されない他の場合もある。すなわち、セッションが開始されたとき、ＳＲＮＣは、ＲＲＣ連結及びＰＭＭ_ＩＤＬＥ状態にあるＵＥにメッセージを転送して、そのＵＥをＰＭＭ_ＣＯＮＮＥＣＴＥＤ状態に切換える。ＵＥは、ＭＢＭＳのためのＰＭＭ_ＣＯＮＮＥＣＴＥＤ状態に切換える。よって、図面に示した３つの方法を採用できる。“サービス要請”メッセージでのサービスのタイプを“ＭＢＭＳサービス”で設定したり、“ＭＢＭＳサービス通知”の新しいメッセージを転送したり、“ＭＢＭＳ表示”の情報ユニットを“ルーティング領域更新要請”メッセージ内に付加する。ＳＧＳＮは、そのメッセージを受信した後にＵＥリンク連結メッセージをＵＥに転送する。そのような過程は、ＲＲＣ連結を行う段階Ｓ１１６から段階Ｓ１１８の過程が不要であることを除いては、図１の段階Ｓ１１５から段階Ｓ１２４の過程と基本的に一致する。
【００３４】
本発明で説明する実施例は、本発明による方法を具現する特定の例を説明するためのもので、本発明の全ての実施例を言及するものではない。ＵＥからＣＮに転送されて、ＣＮがＵＥリンク連結の過程を行うようにするいかなるシナリオも、本発明の範囲に属する。
【００３５】
ＵＥのノード処理の流れ
図２はＵＥのノード処理の流れを示す図である。段階Ｓ２０１において、ＵＥがＲＮＣからメッセージを受信する。段階Ｓ２０２において、ＵＥが受信したメッセージが“ＭＢＭＳ通知”であるか否かを判断する。そうであれば、段階Ｓ２０３に進行し、そうでなければ、段階Ｓ２０１に進行する。段階Ｓ２０３において、ＵＥのＲＲＣは“ＭＢＭＳ通知”メッセージから得たサービスＩＤ及び通知理由を上位階層に転送する。そのメッセージの“ＲＲＣ連結必要”が真であれば、シグナルリング連結表示が真であり、そうでなければ、シグナルリング連結表示が偽である。ＵＥのＲＲＣはプリミティブのシグナルリング連結表示を介してシグナルリング連結を行うか否かを上位階層に通知する。ＵＥのＲＲＣがターゲットセルのチャンネルタイプがＰＴＰであることを知っていたり、ターゲットセルが、それが受信するＭＢＭＳサービスのためのＲＢを全く提供しないことを知っていると、ＵＥのＲＲＣはプリミティブを介してＲＲＣ連結を行うことを上位階層に通知する。すなわち、シグナルリング連結表示が真となる。
【００３６】
段階Ｓ２０４において、上位階層はシグナルリング連結を行うか否かを判断する。そうであれば、段階Ｓ２０５に進行し、そうでなければ、段階Ｓ２０７に進行する。段階Ｓ２０５において、上位階層はＲＲＣ連結を行うことをＲＲＣに指示し、段階Ｓ２０６に進行する。段階Ｓ２０６において、ＵＥはそのサービスタイプが“ＭＢＭＳサービス”である“サービス要請”メッセージをＳＧＳＮに転送する。段階Ｓ２０７において、上位階層はこれ以上いかなる動作も取らない。段階Ｓ２０８において、受信されたメッセージが“ＭＢＭＳチャンネルタイプ表示”であるか否かを判断する。そうであれば、段階Ｓ２０９に進行し、そうでなければ、段階Ｓ２１０に進行する。段階Ｓ２０９において、ターゲットセルのチャンネルタイプがＰＴＰであるか否かを判断する。そうであれば、段階Ｓ２０３に進行し、そうでなければ、段階Ｓ２０１に進行する。段階Ｓ２１０において、ターゲットセルが、それが受信するＭＢＭＳサービスのためのＲＢを全く提供しないと、段階Ｓ２０３に進行する。
【００３７】
ＳＧＳＮのノード処理の流れ
図６はＳＧＳＮのノード動作を示す図である。
段階Ｓ６０１において、ＳＧＳＮはＵＥからメッセージを受信する。
段階Ｓ６０２において、ＳＧＳＮが受信したメッセージが“サービス要請”であるか否かを判断する。そうであれば、段階Ｓ６０３に進行し、そうでなければ、段階Ｓ６０１に進行する。
段階Ｓ６０３において、サービスタイプが“ＭＢＭＳサービス”であるか否かを判断する。そうであれば、段階Ｓ６０４に進行し、そうでなければ、段階Ｓ６０５に進行する。
段階Ｓ６０４において、ＳＧＳＮは、ＵＥコンテクストをチェックし、ＵＥが加入したＭＢＭＳサービスＩＤを含む“ＭＢＭＳ ＵＥリンク連結要請”メッセージをＲＮＣに転送する。
【００３８】
段階Ｓ６０５において、ＳＧＳＮは、ＵＥコンテクストをチェックし、ＰＤＰのためのＲＡＢを既に活性状態で設定する。ＳＧＳＮは、ＵＥが加入したＭＢＭＳサービスＩＤを含んでいるだけでなく、ユーザーインターフェース設定のためのパラメーターとＱｏＳパラメーターを含んでいる“ＲＡＢ割当て要請”メッセージをＲＮＣに転送する。
段階Ｓ６０６において、ＳＧＳＮは、受信されたメッセージが“ルーティング領域更新要請”メッセージであるか否かを判断する。そうであれば、段階Ｓ６０７に進行し、そうでなければ、段階Ｓ６０８に進行する。
段階Ｓ６０７において、ＳＧＳＮは、受信されたメッセージが“ＭＢＭＳ表示”の情報ユニットを含んでいるか否かを判断する。そうであれば、段階Ｓ６０４に進行し、そうでなければ、段階Ｓ６０１に進行する。
段階Ｓ６０８において、ＳＧＳＮは、受信されたメッセージが“ＭＢＭＳサービス通知”メッセージであるか否かを判断する。そうであれば、段階Ｓ６０４に進行し、そうでなければ、段階Ｓ６０１に進行する。
【図面の簡単な説明】
【００３９】
【図１】ＭＢＭＳサービスを他の専用サービスと区別するための流れを示す図である。
【図２】ＵＥノードの動作を示す図である。
【図３】ＭＢＭＳシステム構造を示す図である。
【図４】ＭＢＭＳマルチキャストサービスのフローチャートである。
【図５】ＵＥの個数をカウントする流れを示す図である。
【図６】ＳＧＳＮノードの動作を示す図である。
【図１】
2007502571.tif 000002
【図２】
2007502571.tif 000003
【図３】
2007502571.tif 000004
【図４】
2007502571.tif 000005
【図５】
2007502571.tif 000006
【図６】
2007502571.tif 000007
【国際調査報告】
2007502571.tif 000008
2007502571.tif 000009